(57)【要約】【課題】表裏２枚の表面材を有するカーテン材の製作工程を容易化し、且つ意匠性を向上させた間仕切り装置を提供する。【解決手段】本発明の間仕切り装置は、折り畳み可能としたカーテン材１を備える間仕切り装置であって、このカーテン材１は、表裏２枚の表面材２Ａ，２Ｂ（表側の表面材２Ａ及び裏側の表面材２Ｂ）と、その表裏２枚の表面材２Ａ，２Ｂの各面が対面するように並設した状態で表裏２枚の表面材２Ａ，２Ｂを掴持するフレーム３と、表裏２枚の表面材２Ａ，２Ｂの折り畳み部位にて、当該フレーム３の端部を回動可能に支持する蝶番４と、その蝶番４に支持される上下方向に延在する２本の保持棒５Ａ，５Ｂと、を備え、表裏２枚の表面材２Ａ，２Ｂは、各蝶番４の当該２本の保持棒５Ａ，５Ｂ間を通るようにして配設されている。【選択図】図２
2020007830.tif 000002
【特許請求の範囲】
【請求項１】
折り畳み可能としたカーテン材を備える間仕切り装置であって、
前記カーテン材は、
表裏２枚の表面材と、
前記表裏２枚の表面材の各面が対面するように並設した状態で前記表裏２枚の表面材を掴持するフレームと、
前記表裏２枚の表面材の折り畳み部位にて、当該フレームの端部を回動可能に支持する蝶番と、
前記蝶番に支持される上下方向に延在する２本の保持棒と、を備え、
前記表裏２枚の表面材は、各蝶番の前記２本の保持棒間を通るようにして配設されていることを特徴とする間仕切り装置。
【請求項２】
前記表裏２枚の表面材は、各蝶番の前記２本の保持棒間を同一法則で前後方向に交差して通るようにして配設されていることを特徴とする、請求項１に記載の間仕切り装置。
【請求項３】
各蝶番の前記２本の保持棒は、前記表裏２枚の表面材の取り回しにより包まれるように構成されていることを特徴とする、請求項１又は２に記載の間仕切り装置。
【請求項４】
前記表裏２枚の表面材は、各蝶番の前記２本の保持棒間の双方で折り返すことにより同一法則で前後方向に交差して通るようにして配設されていることを特徴とする、請求項３に記載の間仕切り装置。
【請求項５】
前記蝶番は、それぞれ前記フレームが左右方向に隣り合う２本のフレームにおける接続対象の一対の端部のうち少なくとも一方を相対スライド移動可能、且つ相対回動可能に接続していることを特徴とする、請求項１から４のいずれか一項に記載の間仕切り装置。
【請求項６】
前記表裏２枚の表面材は、当該折り畳み部位間ごとに板材を挟み込んで構成されていることを特徴とする、請求項１から５のいずれか一項に記載の間仕切り装置。
【請求項７】
前記板材は、少なくとも断熱機能を有することを特徴とする、請求項６に記載の間仕切り装置。
【請求項８】
前記板材は、前記表裏２枚の表面材に対し貼付して保持されるか、又は前記表裏２枚の表面材の上部で吊下支持されていることを特徴とする、請求項６又は７に記載の間仕切り装置。
【請求項９】
前記表裏２枚の表面材は、１枚の表面材を前記カーテン材の一端部で折り返して構成されていることを特徴とする、請求項１から８のいずれか一項に記載の間仕切り装置。
【請求項１０】
前記カーテン材が枠体に対して開閉可能に吊下支持され、前記カーテン材の開閉方向の一端部又は両端部に框が設けられていることを特徴とする、請求項１から９のいずれか一項に記載の間仕切り装置。
【発明の詳細な説明】
【技術分野】
【０００１】
本発明は、カーテン材を用いた間仕切り装置に関する。
【背景技術】
【０００２】
一般的に、カーテン材を用いた間仕切り装置として、カーテンレールやアコーディオンカーテン等がある。
【０００３】
一般的なアコーディオンカーテンのカーテン材は、パンタグラフ状に伸縮自在な骨組みの連結部位を構成する複数の蝶番が配設されるとともに、各蝶番を覆うように合成樹脂等の表裏２枚の表面材が当該骨組みに取着されている。当該複数の蝶番は、ハンガーレール等の枠体に吊下支持されるものと、吊下支持されないものが交互に配設されている。そして、カーテン材を当該枠体に沿って移動操作することにより、カーテン材の引き出し、或いは畳み込みが可能となっている。
【０００４】
また、間仕切り装置の一種として、そのカーテン材が、略くの字状に折り畳み可能に複数の蝶番が配設されるとともに、１枚の表面材に対し所定間隔で芯材を縫製し、各芯材をそれぞれの蝶番に引掛ける等で取着するものもある。
【０００５】
このような間仕切り装置の一種として、そのカーテン材を構成する際に、少なくとも一方が通気性を持つ表裏２枚の表面材によって、上下方向に長尺な板状の吸音性部材を所定間隔でサンドイッチ状に挟み込み、カーテン材の全体をその開閉方向に略くの字状に折り畳み可能に構成したものが開示されている（例えば、特許文献１参照）。
【先行技術文献】
【特許文献】
【０００６】
【特許文献１】実開平６−７７６７１号公報
【発明の概要】
【発明が解決しようとする課題】
【０００７】
特許文献１の技法では、表裏２枚の表面材によって板状の吸音性部材を所定間隔で挟み込み、略くの字状に折り畳み可能とするために、当該吸音性部材の左右両端に位置する折り曲げ可能部毎に、当該表裏２枚の表面材同士を、ミシンによる縫い込み等によって結合する必要があり、製作工程が煩雑化するという問題がある。
【０００８】
また、特許文献１の技法のように当該表裏２枚の表面材同士を結合する技法では、板材を所定間隔で挟み込んだ時に、当該表裏２枚の表面材にシワやふくらみが発生することもあり、意匠性を損なう。そのようなふくらみが発生するのを抑制しつつ当該表裏２枚の表面材同士を結合することは容易ではなく、また、当該結合してしまった後では、そのようなふくらみが無くなるように調節することもできない。
【０００９】
そこで、本発明の目的は、上述の問題に鑑みて、表裏２枚の表面材を有するカーテン材の組立性、及び意匠性を向上させた間仕切り装置を提供することにある。
【課題を解決するための手段】
【００１０】
本発明の間仕切り装置は、折り畳み可能としたカーテン材を備える間仕切り装置であって、前記カーテン材は、表裏２枚の表面材と、前記表裏２枚の表面材の各面が対面するように並設した状態で前記表裏２枚の表面材を掴持するフレームと、前記表裏２枚の表面材の折り畳み部位にて、当該フレームの端部を回動可能に支持する蝶番と、前記蝶番に支持される上下方向に延在する２本の保持棒と、を備え、前記表裏２枚の表面材は、各蝶番の前記２本の保持棒間を通るようにして配設されていることを特徴とする。
【００１１】
また、本発明の間仕切り装置において、前記表裏２枚の表面材は、各蝶番の前記２本の保持棒間を同一法則で前後方向に交差して通るようにして配設されていることを特徴とする。
【００１２】
また、本発明の間仕切り装置において、各蝶番の前記２本の保持棒は、前記表裏２枚の表面材の取り回しにより包まれるように構成されていることを特徴とする。
【００１３】
また、本発明の間仕切り装置において、前記表裏２枚の表面材は、各蝶番の前記２本の保持棒間の双方で折り返すことにより同一法則で前後方向に交差して通るようにして配設されていることを特徴とする。
【００１４】
また、本発明の間仕切り装置において、前記蝶番は、それぞれ前記フレームが左右方向に隣り合う２本のフレームにおける接続対象の一対の端部のうち少なくとも一方を相対スライド移動可能、且つ相対回動可能に接続していることを特徴とする。
【００１５】
また、本発明の間仕切り装置において、前記表裏２枚の表面材は、当該折り畳み部位間ごとに板材を挟み込んで構成されていることを特徴とする。
【００１６】
また、本発明の間仕切り装置において、前記板材は、少なくとも断熱機能を有することを特徴とする。
【００１７】
また、本発明の間仕切り装置において、前記板材は、前記表裏２枚の表面材に対し貼付して保持されるか、又は前記表裏２枚の表面材の上部で吊下支持されていることを特徴とする。
【００１８】
また、本発明の間仕切り装置において、前記表裏２枚の表面材は、１枚の表面材を前記カーテン材の一端部で折り返して構成されていることを特徴とする。
【００１９】
また、本発明の間仕切り装置において、前記カーテン材が枠体に対して開閉可能に吊下支持され、前記カーテン材の開閉方向の一端部又は両端部に框が設けられていることを特徴とする。
【発明の効果】
【００２０】
本発明によれば、表裏２枚の表面材を有するカーテン材の組立性を向上させ、且つ意匠性を向上させた間仕切り装置を構成することができる。
【図面の簡単な説明】
【００２１】
【図１】本発明による第１実施形態の間仕切り装置の概略構成を示す斜視図である。
【図２】（ａ）,（ｂ）,（ｃ）は、それぞれ本発明による第１実施形態の間仕切り装置の概略構成を示す透視上面図、部分正面図、及び透視下面図である。
【図３】（ａ）,（ｂ）,（ｃ）は、それぞれ本発明による第１実施形態の間仕切り装置における構成例１，２，３のＡ−Ａ’断面図である。
【図４】（ａ）,（ｂ）は、それぞれ本発明による第１実施形態の間仕切り装置における畳み込み時の概略構成を部分的に別角度で示す斜視図であり、（ｃ）,（ｄ）は、それぞれ本発明による第１実施形態の間仕切り装置における畳み込み時の概略構成を部分的に示す透視上面図、及び上面図である。
【図５】（ａ）乃至（ｄ）は、それぞれ本発明による第１実施形態の間仕切り装置における実施例１の概略構成を部分的に示す非畳み込み時の上面図、正面図、及びそのＢ−Ｂ’断面図、並びに、畳み込み時の透視上面図及び上面図である。
【図６】（ａ）乃至（ｄ）は、それぞれ本発明による第１実施形態の間仕切り装置における実施例２の概略構成を部分的に示す非畳み込み時の上面図、正面図、及びそのＣ−Ｃ’断面図、並びに、畳み込み時の透視上面図及び上面図である。
【図７】（ａ）乃至（ｄ）は、それぞれ本発明による第１実施形態の間仕切り装置における実施例３の概略構成を部分的に示す非畳み込み時の上面図、正面図、及びそのＤ−Ｄ’断面図、並びに、畳み込み時の透視上面図及び上面図である。
【図８】本発明による第２実施形態の間仕切り装置の概略構成を示す斜視図である。
【発明を実施するための形態】
【００２２】
以下、図面を参照して、本発明による各実施形態の間仕切り装置を説明する。尚、本願明細書中、図１に示す間仕切り装置の斜視図に対して、図示上方及び図示下方を上方向（又は上側）及び下方向（又は下側）と定義し、図示左方向を間仕切り装置の左側、及び、図示右方向を間仕切り装置の右側と定義して説明する。また、図１の正面図を視認する側を前側（室内側）とし、その反対側を後側（室外側）とする。
【００２３】
〔第１実施形態〕
図１は、本発明による第１実施形態の間仕切り装置の概略構成を示す斜視図である。
本実施形態の間仕切り装置は、等間隔で折り畳み可能とした伸縮自在のカーテン材１からなり、図１においては２つのカーテン材１（即ち、２つの間仕切り装置）を示しており、その一方は非畳み込み時（図示左方）、他方は畳み込み時の様子を示している（図示右方）。
【００２４】
カーテン材１は、表裏２枚の表面材２Ａ，２Ｂ（表側の表面材２Ａ及び裏側の表面材２Ｂ）と、その表裏２枚の表面材２Ａ，２Ｂの各面が対面するように並設した状態で表裏２枚の表面材２Ａ，２Ｂを折り畳み可能に区分するように、表裏２枚の表面材２Ａ，２Ｂの上端及び下端をそれぞれ掴持する上下一対のフレーム３と、表裏２枚の表面材２Ａ，２Ｂの折り畳み部位にて、当該上下一対のフレーム３の端部を回動可能に支持する上下一対の蝶番４と、上下一対の蝶番４間で上下方向に延在する２本の保持棒５Ａ，５Ｂと、を備える。
【００２５】
特に、図１に示すカーテン材１では、表裏２枚の表面材２Ａ，２Ｂが、上下一対の蝶番４の各々にて、２本の保持棒５Ａ，５Ｂ間を通るようにして配設されている。このため、カーテン材１の正面視では保持棒５Ａのみが視認でき、保持棒５Ｂは視認できない。逆に、カーテン材１の背面視では保持棒５Ｂのみが視認でき、保持棒５Ａは視認できないようになっている。
【００２６】
尚、図１では、２つのカーテン材１をハンガーレール１０で吊下し、ハンガーレール１０の長尺方向へと開閉可能に支持可能とした例を示しているが、このようなハンガーレール１０は無くともよく、１つのカーテン材１を１つの間仕切り装置として、所謂、屏風のように用いることができる。カーテン材１をハンガーレール１０で吊下するときは、例えば図１に示すように、カーテン材１における上側のフレーム３の上面中央にランナー１１を設け、ハンガーレール１０で各ランナー１１を支持することで、カーテン材１を開閉可能に吊下支持する構成とすることができる。
【００２７】
より具体的に、図２乃至図４を参照して、カーテン材１の構成について説明する。図２（ａ）,（ｂ）,（ｃ）は、それぞれ本実施形態の間仕切り装置（カーテン材１）の概略構成を示す透視上面図、部分正面図、及び透視下面図であり、図３（ａ）,（ｂ）,（ｃ）は、構成例１，２，３の図２に示すＡ−Ａ’断面図である。また、図４（ａ）,（ｃ）は、それぞれ本実施形態の間仕切り装置（カーテン材１）における畳み込み時の概略構成を部分的に別角度で示す斜視図であり、図４（ｂ）,（ｄ）は、それぞれ本実施形態の間仕切り装置（カーテン材１）における畳み込み時の概略構成を部分的に示す透視上面図、及び上面図である。
【００２８】
まず、図２（ｂ）に示すように、カーテン材１は、例えばレザー生地等からなる表裏２枚の表面材２Ａ，２Ｂ（表側の表面材２Ａ及び裏側の表面材２Ｂ）が重ね合わせられており、表裏２枚の表面材２Ａ，２Ｂの上端及び下端をそれぞれ掴持する上下一対のフレーム３によって、その表裏２枚の表面材２Ａ，２Ｂが等間隔で区分されている。表裏２枚の表面材２Ａ，２Ｂが等間隔で区分されると、丁度、パネル状になる。表裏２枚の表面材２Ａ，２Ｂ（表側の表面材２Ａ及び裏側の表面材２Ｂ）はそれぞれ別素材又は別柄を有するものでもよいし、同一素材又は同一柄を有するものでもよい。また、フレーム３は、図３を参照して後述する断面凹状を有し合成樹脂で成形されている。
【００２９】
フレーム３の左右方向の両端部には回動軸片３ａが設けられ、隣り合う２本のフレーム３にて近接して対を為す一対の回動軸片３ａを１つの蝶番４により相対回動可能に接続している。この接続のために、本例では固定ネジ６を用いている。蝶番４と回動軸片３ａには、それぞれ固定ネジ６のネジ部分を貫通可能な貫通孔４ｂ，３ｂ（図５乃至図７で後述する）が設けられ、固定ネジ６の頭部分は蝶番４で保持される。
【００３０】
これにより、上下一対の蝶番４が、当該上下一対のフレーム３の端部を回動可能に支持している。このため、カーテン材１は、伸縮自在で、且つ等間隔で折り畳み可能に規制される。
【００３１】
また、上下一対の蝶番４間では、２本の保持棒５Ａ，５Ｂが上下方向に延在して設けられている。２本の保持棒５Ａ，５Ｂは、それぞれ円柱状の金属材料で構成され、各保持棒５Ａ，５Ｂの上端及び下端は、それぞれ対応する固定ネジ６のネジ部分により固定されている。
【００３２】
そして、図２（ａ），（ｂ）に示すように、表裏２枚の表面材２Ａ，２Ｂが、上下一対の蝶番４の各々にて、２本の保持棒５Ａ，５Ｂ間を通るようにして配設されている。特に、本例では、表裏２枚の表面材２Ａ，２Ｂが、全ての上下一対の蝶番４の各々における２本の保持棒５Ａ，５Ｂ間を同一法則で前後方向に交差して通るようにして配設されている。
【００３３】
また、図２（ａ），（ｂ），（ｃ）に示すように、本例では、各上下一対のフレーム３で区分された表裏２枚の表面材２Ａ，２Ｂ間（つまり、折り畳み部位間）には板材７を挟み込んでいる。この板材７は、好適には、プラスチックダンボール（単に「プラダン」とも称される）を用いる。プラダンは軽く、水・油にも強く丈夫で長持ちするため、軽量、高耐久性、低変形性を有する他、本実施形態の間仕切り装置としては有用な、中空構造による断熱効果を奏する断熱機能を有するものとなる。
【００３４】
ただし、用途によっては、各上下一対のフレーム３で区分された表裏２枚の表面材２Ａ，２Ｂ間に板材７を挟み込んでいなくともよい。
【００３５】
例えば、図３（ａ）に示す構成例１のように、図２に示すＡ−Ａ’断面として、板材７の表面７ａに表面材２Ａを貼付するとともに板材７の裏面７ｂに表面材２Ｂを貼付しておく。そして、断面凹状を有する上下一対のフレーム３によって、各フレーム３の側壁内面３１でその表裏２枚の表面材２Ａ，２Ｂを貼付した板材７を非接着で前後方向に挟み込むことで掴持する形態とすることができる。
【００３６】
また、図３（ｂ）に示す構成例２のように、図２に示すＡ−Ａ’断面として、板材７に対し表裏２枚の表面材２Ａ，２Ｂを貼付することなく、断面段差凹状を有する上下一対のフレーム３によって、各フレーム３の段差側壁内面３０で板材７を非接着で前後方向に挟み込み、各フレーム３の側壁内面３１と板材７で表裏２枚の表面材２Ａ，２Ｂを非接着で前後方向に挟み込むことで掴持する形態とすることができる。
【００３７】
また、図３（ｃ）に示す構成例３のように、図２に示すＡ−Ａ’断面として、板材７を用いることなく、断面凹状を有する上下一対のフレーム３によって、各フレーム３の側壁内面３１で表裏２枚の表面材２Ａ，２Ｂを取着（テープや弼による接着、面ファスナーによる結合、又は弾性爪等を利用した固定を含む）することで掴持する形態とすることができる。このように板材７を用いない場合でも、表裏２枚の表面材２Ａ，２Ｂ間に空間ができ、その中空構造による断熱機能を有するものとなる。
【００３８】
そして、図２に示す構成のカーテン材１は、図４（ａ），（ｃ）の斜視図で示すように、カーテン材１の上端側の蝶番４が、固定ネジ６を利用してカーテン材１の上端側のフレーム３の端部の回動軸片３ａを回動可能に支持し、その固定ネジ６によって２本の保持棒５Ａ，５Ｂの上端が保持されている（カーテン材１の下端側も同様）。更に、図４（ａ）に示すように、２本の保持棒５Ａ，５Ｂの上端が、それぞれ対応する固定ネジ６のネジ部分６ａにより固定され（カーテン材１の下端側も同様）、図４（ａ），（ｃ）に示すように、表裏２枚の表面材２Ａ，２Ｂが、上下一対の蝶番４の各々にて、２本の保持棒５Ａ，５Ｂ間を通るようにして配設されている。
【００３９】
このため、２本の保持棒５Ａ，５Ｂ間を２枚の表面材２Ａ，２Ｂが通るようにしても、更に、各上下一対のフレーム３で区分された表裏２枚の表面材２Ａ，２Ｂ間には板材７を挟み込んだ状態でも、図４（ｂ）の透視上面図、及び図４（ｄ）の上面図で示すように、カーテン材１を、蝶番４を軸に規則正しく畳み込むことができる。
【００４０】
尚、各蝶番４にて端部が接続される隣り合うフレーム３は、その蝶番４に対し隣り合うフレーム３がほぼ重なった状態で略１８０°の範囲で相対回動可能となるため、カーテン材１の畳み込みの形態として、図１や図４（ｂ），（ｄ）の例に限らず、種々の畳み込み方が可能である。例えば、図２（ｂ）を参照して、左右方向に右側・中央側・左側の３つの上下一対の蝶番４を考量したとき、中央側の蝶番４は畳み込まずに、右側及び左側の上下一対の蝶番４を畳み込むようにして、規則正しく畳み込むこともできる。
【００４１】
また、説明の便宜上、正面側から視認される表面材２Ａ及び保持棒５Ａと、背面側から視認される表面材２Ｂ及び保持棒５Ｂとして区別しているが、カーテン材１は、正面視でも背面視でも同じように視認され、更にカーテン材１を上下にひっくり返しても保持棒５Ａ，５Ｂの位置関係が逆転する点を除き、ほぼ同じように視認される。即ち、利用者は、前後・上下を気に掛けることなく、自在に畳み込み、或いは立てかけてカーテン材１を間仕切り装置として利用できる。
【００４２】
このように、本実施形態の間仕切り装置として機能するカーテン材１は、当該表裏２枚の表面材２Ａ，２Ｂ同士を上下一対のフレーム３で区分するようにしたため、従来技法のようなミシンによる縫い込み等によって結合する必要がなく、製作工程が簡略化するようになる。
【００４３】
また、本実施形態の間仕切り装置として機能するカーテン材１は、表裏２枚の表面材２Ａ，２Ｂが、上下一対の蝶番４の各々にて、２本の保持棒５Ａ，５Ｂ間を通るようにして配設されるようにしたため、例えば板材７を挟み込んだ場合でも、従来技法のようなミシンによる縫い込み等によって結合するものとは異なり、当該表裏２枚の表面材２Ａ，２Ｂにシワやふくらみが発生するのを抑制することができ、また、組立後に、そのようなふくらみが無くなるように調節することもできる。
【００４４】
従って、本実施形態によれば、カーテン材１を構成する表裏２枚の表面材２Ａ，２Ｂにおけるふくらみを抑制し、且つ容易に調整可能となるため、表裏２枚の表面材２Ａ，２Ｂを有するカーテン材１の組立性を向上させ、且つ意匠性を向上させた間仕切り装置を構成することができる。
【００４５】
以下、図１乃至図４を参照して説明した第１実施形態の間仕切り装置を構成するカーテン材１の変形例として、より好適な各実施例を順に説明する。
【００４６】
（実施例１）
図５（ａ）乃至（ｅ）は、それぞれ本発明による第１実施形態の間仕切り装置（カーテン材１）における実施例１の概略構成を部分的に示す非畳み込み時の上面図、正面図、及びそのＢ−Ｂ’断面図、並びに、畳み込み時の透視上面図及び上面図である。
【００４７】
図５に示す実施例１は、図１乃至図４を参照して説明したカーテン材１の構成と比較して、固定ネジ６の頭部分が正面視及び背面視で視認できないように、蝶番４に対し固定ネジ６の頭部分を埋設させて、その意匠性を向上させた点のみが相違し、その他の構成は同様である。
【００４８】
即ち、図５（ａ），（ｂ），（ｅ）に示すように、蝶番４には、各固定ネジ６の頭部分を埋設させるための穿溝４ａが形成されている。表裏２枚の表面材２Ａ，２Ｂが等間隔で区分する上下一対のフレーム３の左右方向の両端部には回動軸片３ａが設けられ、隣り合う２本のフレーム３にて近接して対を為す一対の回動軸片３ａを１つの蝶番４により相対回動可能に接続している。この接続のために、本例では固定ネジ６を用いており、蝶番４と回動軸片３ａには、それぞれ固定ネジ６のネジ部分６ａを貫通可能な貫通孔４ｂ，３ｂが設けられ、固定ネジ６の頭部分は蝶番４の穿溝４ａで保持され、且つ埋設される。
【００４９】
図５に示す実施例１においても、図１乃至図４を参照して説明したカーテン材１の構成と同様、図５（ｂ），（ｃ），（ｄ）に示すように、上下一対の蝶番４間では、２本の保持棒５Ａ，５Ｂが上下方向に延在して設けられ、各保持棒５Ａ，５Ｂの上端及び下端は、それぞれ対応する固定ネジ６のネジ部分６ａにより固定されている。
【００５０】
そして、表裏２枚の表面材２Ａ，２Ｂが、上下一対の蝶番４の各々にて、２本の保持棒５Ａ，５Ｂ間を通るようにして配設されている。特に、本例では、表裏２枚の表面材２Ａ，２Ｂが、全ての上下一対の蝶番４の各々における２本の保持棒５Ａ，５Ｂ間を同一法則で前後方向に交差して通るようにして配設されている。
【００５１】
また、図５（ｃ），（ｄ）に示すように、本例では、各上下一対のフレーム３で区分された表裏２枚の表面材２Ａ，２Ｂ間にはプラダン等による少なくとも断熱機能を有する板材７を挟み込んでいるが、用途によっては、各上下一対のフレーム３で区分された表裏２枚の表面材２Ａ，２Ｂ間に板材７を挟み込んでいなくともよい。
【００５２】
このような構成としたため、２本の保持棒５Ａ，５Ｂ間を２枚の表面材２Ａ，２Ｂが通るようにしても、更に、各上下一対のフレーム３で区分された表裏２枚の表面材２Ａ，２Ｂ間には板材７を挟み込んだ状態でも、図５（ｄ）の透視上面図、及び図５（ｅ）の上面図で示すように、カーテン材１を、蝶番４を軸に規則正しく畳み込むことができる。
【００５３】
このように、図５に示す実施例１のカーテン材１は、当該表裏２枚の表面材２Ａ，２Ｂ同士を上下一対のフレーム３で区分するようにしたため、従来技法のようなミシンによる縫い込み等によって結合する必要がなく、製作工程が簡略化するようになる。
【００５４】
また、図５に示す実施例１のカーテン材１は、表裏２枚の表面材２Ａ，２Ｂが、上下一対の蝶番４の各々にて、２本の保持棒５Ａ，５Ｂ間を通るようにして配設されるようにしたため、例えば板材７を挟み込んだ場合でも、従来技法のようなミシンによる縫い込み等によって結合するものとは異なり、当該表裏２枚の表面材２Ａ，２Ｂにシワやふくらみが発生するのを抑制することができ、また、組立後に、そのようなふくらみが無くなるように調節することもできる。
【００５５】
従って、図５に示す実施例１のカーテン材１は、図１乃至図４を参照して説明したカーテン材１の構成による利点を全て包含した上で、当該固定ネジ６の頭部分が正面視及び背面視で視認できないようにして、より意匠性を向上させることができる。
【００５６】
（実施例２）
図６（ａ）乃至（ｄ）は、それぞれ本発明による第１実施形態の間仕切り装置（カーテン材１）における実施例２の概略構成を部分的に示す非畳み込み時の上面図、正面図、及びそのＣ−Ｃ’断面図、並びに、畳み込み時の透視上面図及び上面図である。
【００５７】
図６に示す実施例２は、図５を参照して説明した実施例１のカーテン材１の構成と比較して、２本の保持棒５Ａ，５Ｂが正面視及び背面視で視認できないように、表裏２枚の表面材２Ａ，２Ｂの取り回しにより包まれるように構成している点に特徴を有し、その意匠性を向上させた点のみが相違し、その他の構成は同様である。
【００５８】
即ち、図６（ｃ），（ｄ）に示すように、表裏２枚の表面材２Ａ，２Ｂが、２本の保持棒５Ａ，５Ｂを正面視及び背面視で視認できないように包み込むようにして取り回されている。より具体的には、表裏２枚の表面材２Ａ，２Ｂは、各蝶番４の２本の保持棒５Ａ，５Ｂ間の双方で折り返すことにより同一法則で前後方向に交差して通るようにして配設されている。
【００５９】
そして、図６（ａ），（ｂ），（ｅ）に示すように、図５に示す実施例１と同様、蝶番４には、各固定ネジ６の頭部分を埋設させるための穿溝４ａが形成されている。表裏２枚の表面材２Ａ，２Ｂが等間隔で区分する上下一対のフレーム３の左右方向の両端部には回動軸片３ａが設けられ、隣り合う２本のフレーム３にて近接して対を為す一対の回動軸片３ａを１つの蝶番４により相対回動可能に接続している。この接続のために、本例では固定ネジ６を用いており、蝶番４と回動軸片３ａには、それぞれ固定ネジ６のネジ部分６ａを貫通可能な貫通孔４ｂ，３ｂが設けられ、固定ネジ６の頭部分は蝶番４の穿溝４ａで保持され、且つ埋設される。
【００６０】
図６に示す実施例２においても、図１乃至図４を参照して説明したカーテン材１の構成と同様、図５（ｂ），（ｃ），（ｄ）に示すように、上下一対の蝶番４間では、２本の保持棒５Ａ，５Ｂが上下方向に延在して設けられ、各保持棒５Ａ，５Ｂの上端及び下端は、それぞれ対応する固定ネジ６のネジ部分６ａにより固定されている。
【００６１】
そして、表裏２枚の表面材２Ａ，２Ｂが、上下一対の蝶番４の各々にて、２本の保持棒５Ａ，５Ｂ間を通るようにして配設されている。ただし、実施例２では、図６（ｃ），（ｄ）に示すように、表裏２枚の表面材２Ａ，２Ｂが、全ての上下一対の蝶番４の各々における２本の保持棒５Ａ，５Ｂ間を同一法則で包み込むようにして取り回されており、２本の保持棒５Ａ，５Ｂを正面視及び背面視で視認できないようにして、その意匠性を向上させている。
【００６２】
また、図６（ｃ），（ｄ）に示すように、本例では、各上下一対のフレーム３で区分された表裏２枚の表面材２Ａ，２Ｂ間にはプラダン等による少なくとも断熱機能を有する板材７を挟み込んでいるが、用途によっては、各上下一対のフレーム３で区分された表裏２枚の表面材２Ａ，２Ｂ間に板材７を挟み込んでいなくともよい。
【００６３】
このような構成としたため、２本の保持棒５Ａ，５Ｂ間を２枚の表面材２Ａ，２Ｂが通るようにしても、更に、各上下一対のフレーム３で区分された表裏２枚の表面材２Ａ，２Ｂ間には板材７を挟み込んだ状態でも、図６（ｄ）の透視上面図、及び図６（ｅ）の上面図で示すように、カーテン材１を、蝶番４を軸に規則正しく畳み込むことができる。
【００６４】
このように、図６に示す実施例２のカーテン材１は、当該表裏２枚の表面材２Ａ，２Ｂ同士を上下一対のフレーム３で区分するようにしたため、従来技法のようなミシンによる縫い込み等によって結合する必要がなく、製作工程が簡略化するようになる。
【００６５】
また、図６に示す実施例２のカーテン材１は、表裏２枚の表面材２Ａ，２Ｂが、上下一対の蝶番４の各々にて、２本の保持棒５Ａ，５Ｂ間を通るようにして配設されるようにしたため、例えば板材７を挟み込んだ場合でも、従来技法のようなミシンによる縫い込み等によって結合するものとは異なり、当該表裏２枚の表面材２Ａ，２Ｂにシワやふくらみが発生するのを抑制することができ、また、組立後に、そのようなふくらみが無くなるように調節することもできる。
【００６６】
従って、図６に示す実施例２のカーテン材１は、実施例１の構成による利点を全て包含した上で、当該２本の保持棒５Ａ，５Ｂが正面視及び背面視で視認できないようにして、より意匠性を向上させることができる。尚、この実施例２の特徴について、図１乃至図４を参照して説明したカーテン材１の構成（当該固定ネジ６の頭部分が正面視又は背面視で視認できる構成）に対して適用した更なる実施例とすることができる。
【００６７】
（実施例３）
図７（ａ）乃至（ｅ）は、それぞれ本発明による第１実施形態の間仕切り装置（カーテン材１）における実施例３の概略構成を部分的に示す非畳み込み時の上面図、正面図、及びそのＤ−Ｄ’断面図、並びに、畳み込み時の透視上面図及び上面図である。
【００６８】
図７に示す実施例３は、図６を参照して説明した実施例２のカーテン材１の構成と比較して、上下一対のフレーム３が左右方向に隣り合う２本のフレーム３における接続対象の端部として近接して対を為す一対の回動軸片３ａを接続する蝶番４について、当該一対の回動軸片３ａのうち一方を相対スライド移動可能、且つ相対回動可能に接続し、他方を相対スライド移動不能、且つ相対回動可能に接続している点に特徴を有している点のみが相違し、その他の構成は同様である。図７に示す実施例３の構成では、当該蝶番４による表裏２枚の表面材２Ａ，２Ｂの折り畳み自由度を向上させることができ、且つ非折り畳み時における表裏２枚の表面材２Ａ，２Ｂの弛みをより抑制させることができる。
【００６９】
即ち、図７（ａ），（ｂ），（ｅ）に示すように、隣り合う２本のフレーム３にて近接して対を為す一対の回動軸片３ａを接続する蝶番４は、当該一対の回動軸片３ａのうち一方を直線的に相対スライド移動可能とした状態で相対回動可能に接続し、他方を相対スライド移動不能、且つ相対回動可能に接続している。
【００７０】
図７に示す実施例３においても、図７（ａ），（ｂ），（ｅ）に示すように、表裏２枚の表面材２Ａ，２Ｂが等間隔で区分する上下一対のフレーム３の左右方向の両端部には回動軸片３ａが設けられ、隣り合う２本のフレーム３にて近接して対を為す一対の回動軸片３ａを１つの蝶番４により相対回動可能に接続している。この接続のために、本例では固定ネジ６を用いており、蝶番４と回動軸片３ａには、それぞれ固定ネジ６のネジ部分６ａを貫通可能な貫通孔４ｂ，３ｂが設けられ、固定ネジ６の頭部分は蝶番４の穿溝４ａで保持され、且つ埋設される。
【００７１】
また、図７に示す実施例３では、実施例２の構成と同様、図７（ｂ），（ｃ），（ｄ）に示すように、上下一対の蝶番４間では、２本の保持棒５Ａ，５Ｂが上下方向に延在して設けられ、各保持棒５Ａ，５Ｂの上端及び下端は、それぞれ対応する固定ネジ６のネジ部分６ａにより固定されている。
【００７２】
そして、表裏２枚の表面材２Ａ，２Ｂが、上下一対の蝶番４の各々にて、２本の保持棒５Ａ，５Ｂ間を通るようにして配設されている。ただし、実施例３では、図７（ｃ），（ｄ）に示すように、表裏２枚の表面材２Ａ，２Ｂが、全ての上下一対の蝶番４の各々における２本の保持棒５Ａ，５Ｂ間を同一法則で包み込むようにして取り回されており、２本の保持棒５Ａ，５Ｂを正面視及び背面視で視認できないようにして、その意匠性を向上させている。
【００７３】
また、図７（ｃ），（ｄ）に示すように、本例では、各上下一対のフレーム３で区分された表裏２枚の表面材２Ａ，２Ｂ間にはプラダン等による少なくとも断熱機能を有する板材７を挟み込んでいるが、用途によっては、各上下一対のフレーム３で区分された表裏２枚の表面材２Ａ，２Ｂ間に板材７を挟み込んでいなくともよい。
【００７４】
ただし、図７に示す実施例３では、図７（ａ）に示すように、蝶番４には、各固定ネジ６の頭部分を埋設させるための一対の穿溝４ａが形成されているが、その一対の穿溝４ａのうち一方は円形で、他方は楕円形となっている。また、その一対の穿溝４ａの形状に合わせて、固定ネジ６のネジ部分６ａを貫通可能な蝶番４の一対の貫通孔４ｂの形状も、一方は円形で、他方は楕円形となっている。
【００７５】
このため、当該蝶番４による表裏２枚の表面材２Ａ，２Ｂの折り畳み自由度を向上させることに伴って、当該２本の保持棒５Ａ，５Ｂの折り畳み自由度を向上させることができる。
【００７６】
従って、図７に示す実施例３では、２本の保持棒５Ａ，５Ｂ間を２枚の表面材２Ａ，２Ｂが通るようにしても、更に、各上下一対のフレーム３で区分された表裏２枚の表面材２Ａ，２Ｂ間には板材７を挟み込んだ状態でも、図７（ｄ）の透視上面図、及び図７（ｅ）の上面図で示すように、カーテン材１を、よりスムーズに、蝶番４を軸に規則正しく畳み込むことができる。
【００７７】
このように、図７に示す実施例３のカーテン材１は、当該表裏２枚の表面材２Ａ，２Ｂ同士を上下一対のフレーム３で区分するようにしたため、従来技法のようなミシンによる縫い込み等によって結合する必要がなく、製作工程が簡略化するようになる。
【００７８】
また、図７に示す実施例２のカーテン材１は、表裏２枚の表面材２Ａ，２Ｂが、上下一対の蝶番４の各々にて、２本の保持棒５Ａ，５Ｂ間を通るようにして配設されるようにしたため、例えば板材７を挟み込んだ場合でも、従来技法のようなミシンによる縫い込み等によって結合するものとは異なり、当該表裏２枚の表面材２Ａ，２Ｂにシワやふくらみが発生するのを抑制することができ、また、組立後に、そのようなふくらみが無くなるように調節することもできる。
【００７９】
従って、図７に示す実施例３のカーテン材１は、実施例２の構成による利点を全て包含した上で、カーテン材１を、よりスムーズに、蝶番４を軸に規則正しく畳み込むことができる。
【００８０】
尚、実施例３に係る蝶番４について、当該一対の回動軸片３ａの双方を相対スライド移動可能、且つ相対回動可能に接続する構成としてもよいし、図示するように直線的なスライド移動に限定する必要はない。また、この実施例３の特徴について、図１乃至図４を参照して説明したカーテン材１の構成（当該固定ネジ６の頭部分が正面視又は背面視で視認できる構成）、又は実施例１に対して適用した更なる実施例とすることができる。
【００８１】
〔第２実施形態〕
図８は、本発明による第２実施形態の間仕切り装置の概略構成を示す斜視図である。
図８に示す第２実施形態の間仕切り装置は、カーテン材１をハンガーレール１０等の枠体で吊下するときに、そのカーテン材１の開閉方向（左右方向）の両端部（一端部でもよい）に框１２を設けた構成とすることができる。
【００８２】
図８に示す例では、各框１２に対して蝶番４を介して直接接続される上下一対の端部フレーム３Ｅは、各框１２に直接接続されていない他のフレーム３と比較して、その長尺方向の長さがほぼ半分となるようにしている。従って、上下一対の端部フレーム３Ｅで形成されるパネル状の部分は、上下一対のフレーム３で形成されるパネル状の部分の大きさがほぼ半分になる。
【００８３】
このように構成することで、カーテン材１をハンガーレール１０で吊下するときに、例えば、図８に示すように左右一対のカーテン材１により両開きとした間仕切り装置を構成すると、当該左右一対のカーテン材１における開閉方向の各一端部を互いにぴったりと合わせることができ、当該左右一対のカーテン材１における開閉方向の各他端部を、当該左右一対のカーテン材１を設置する側壁に対し、ぴったりと合わせることができる。
【００８４】
また、１つのカーテン材１により片開きとした間仕切り装置を構成するときも、当該カーテン材１の開閉方向（左右方向）の両端部を側壁にぴったりと合わせることができる。
【００８５】
このように、カーテン材１の開閉方向（左右方向）の一端部又は両端部に框１２を設けることで、意匠性が向上し、且つ室内の断熱性を高めることができる。
【００８６】
以上、特定の実施形態の例を挙げて本発明を説明したが、本発明は前述の実施形態の例に限定されるものではなく、その技術思想を逸脱しない範囲で種々変形可能である。例えば、上述した実施形態の説明において、表裏２枚の表面材２Ａ，２Ｂを別個の素材として説明したが、１枚の表面材をカーテン材１の一端部で折り返して表裏２枚の表面材２Ａ，２Ｂとして構成したものでもよい。
【００８７】
また、上述した実施形態の例では、上下一対のフレーム３及び上下一対の蝶番４を例示して説明したが、このようなフレーム３及び蝶番４はカーテン材１の上側のみ設け、ハンガーレール１０等の枠体で吊下する構成としてもよい。更に、１つ又は複数の蝶番４を、複数のカーテン材１における互いに隣接する上端部、下端部、或いは上端部と下端部との間に設けて、複数のカーテン材１を接続する構成としてもよい。
【００８８】
また、上述した実施形態の例では、等間隔で折り畳み可能とした伸縮自在のカーテン材１とした好適例を説明したが、折り畳み可能としたカーテン材１であればよく、必ずしも等間隔で伸縮自在でなくともよい。
【産業上の利用可能性】
【００８９】
本発明によれば、表裏２枚の表面材を有するカーテン材の組立性を向上させ、且つ意匠性を向上させるので、伸縮自在で、且つ等間隔で折り畳み可能な間仕切り装置の用途に有用である。
【符号の説明】
【００９０】
１  カーテン材
２Ａ，２Ｂ  表裏２枚の表面材
３  フレーム
３Ｅ  端部フレーム
４  蝶番
５Ａ，５Ｂ  保持棒
６  固定ネジ
７  板材
１０  ハンガーレール
１１  ランナー
１２  框
【図１】
2020007830.tif 000003
【図２】
2020007830.tif 000004
【図３】
2020007830.tif 000005
【図４】
2020007830.tif 000006
【図５】
2020007830.tif 000007
【図６】
2020007830.tif 000008
【図７】
2020007830.tif 000009
【図８】
2020007830.tif 000010